(57)【要約】【課題】小型化を図ることができるアンテナブラケットを提供する。【解決手段】アンテナブラケット１は、ベース１１と、ケース１２と、係止機構として係止溝２４及び係止片３４と、を備える。ベース１１は、取付対象に取り付け可能に構成される。ケース１２は、ベース１１に対して着脱可能に構成される。係止溝２４は、ベース１１に設けられる。係止片３４は、ケース１２に設けられる。係止溝２４及び係止片３４が係合することによってベース１１にケース１２が取り付けられた状態が保持される。【選択図】図１
2020022047.tif 000002
【特許請求の範囲】
【請求項１】
アンテナ（３）と、該アンテナに接続されたケーブル（５）と、を備えるアンテナ装置（２）を保持するアンテナブラケット（１）であって、
取付対象に取り付け可能に構成された第１部材（１１）と、
前記第１部材に対して着脱可能に構成された第２部材（１２）と、
前記第１部材に設けられる第１係止部（２４）と、前記第２部材に設けられる第２係止部（３４）と、を有し、前記第１係止部及び前記第２係止部が係合することによって前記第１部材に前記第２部材が取り付けられた状態を保持する係止機構（２４，３４）と、を備える、アンテナブラケット。
【請求項２】
請求項１に記載のアンテナブラケットであって、
前記第２部材は、前記アンテナを取り付け可能な取付領域（３９）を有している、アンテナブラケット。
【請求項３】
請求項２に記載のアンテナブラケットであって、
前記第２部材は、一方が開放された容器形状である本体部（３１）を備え、
前記本体部には、前記アンテナが前記本体部の内部における所定の位置に配置されたときに前記ケーブルが通過可能な溝部（３２）が形成されている、アンテナブラケット。
【請求項４】
請求項２又は請求項３に記載のアンテナブラケットであって、
前記第２部材には、該第２部材が前記第１部材に取り付けられた状態で前記第１部材の位置する方向に長さを有し、前記アンテナの移動範囲を制限する制限部（３５，３６，３７，３８）が設けられている、アンテナブラケット。
【請求項５】
請求項１から請求項４のいずれか１項に記載のアンテナブラケットであって、
前記第１部材及び前記第２部材は、スライド嵌合するように構成されている、アンテナブラケット。
【請求項６】
請求項１から請求項５のいずれか１項に記載のアンテナブラケットであって、
前記第２部材には、前記第１係止部と前記第２係止部との係合を解除させるための操作部（２５）設けられている、アンテナブラケット。
【請求項７】
請求項１から請求項６のいずれか１項に記載のアンテナブラケットであって、
前記第２部材が前記第１部材に取り付けられた状態において、前記第１部材及び前記第２部材により形成される開口部（５１）を備え、
前記開口部の広さは、前記アンテナの通過が不能な広さである、アンテナブラケット。
【発明の詳細な説明】
【技術分野】
【０００１】
本開示は、アンテナを収納するアンテナブラケットに関する。
【背景技術】
【０００２】
車両にアンテナを搭載する場合、アンテナブラケットにアンテナを収納して所定の位置に配置する場合がある。例えば、下記特許文献１には、アンテナをダッシュボードにオンダッシュ搭載するためのアンテナブラケットが提案されている。
【先行技術文献】
【特許文献】
【０００３】
【特許文献１】特開２００６−１５７５７７号公報
【発明の概要】
【発明が解決しようとする課題】
【０００４】
しかしながら、発明者の詳細な検討の結果、次のような課題が見出された。特許文献１のブラケットでは、アンテナをブラケットに貼り付ける作業を行う際に、アンテナをブラケットの内部に挿入した後にアンテナをブラケット内部の貼付面に移動させて荷重を加える必要がある。そのため、ブラケットの内部には、アンテナが移動するための空間が必要となり、アンテナブラケットの寸法、特に高さ方向の寸法が大きくなってしまう。
【０００５】
本開示の１つの局面は、小型化を図ることができるアンテナブラケットを提供することにある。
【課題を解決するための手段】
【０００６】
本開示の一態様は、アンテナ（３）と、アンテナに接続されたケーブル（５）と、を備えるアンテナ装置（２）を保持するアンテナブラケット（１）であって、第１部材（１１）と、第２部材（１２）と、第１係止部（２４）と、第２係止部（３４）と、係止機構（２４，３４）と、を備える。第１部材は、取付対象に取り付け可能に構成される。第２部材は、第１部材に対して着脱可能に構成される。係止機構は、第１係止部及び第２係止部を有する。第１係止部は、第１部材に設けられる。第２係止部は、第２部材に設けられる。第１係止部及び第２係止部が係合することによって第１部材に第２部材が取り付けられた状態を保持する。
【０００７】
このような構成によれば、アンテナブラケットが第１部材と第２部材とに分割されているため、第１部材及び第２部材のいずれか一方にアンテナを取り付けた後に、他方を一方に取り付けることができる。よって、アンテナブラケットの内部にアンテナの取り付け作業を行うための空間を設ける必要がなくなり、アンテナブラケットを小型化できる。
【０００８】
なお、この欄及び特許請求の範囲に記載した括弧内の符号は、一つの態様として後述する実施形態に記載の具体的手段との対応関係を示すものであって、本開示の技術的範囲を限定するものではない。
【図面の簡単な説明】
【０００９】
【図１】アンテナブラケットの分解斜視図である。
【図２】図２Ａがベースの斜視図であり、図２Ｂがベースの左側面図である。
【図３】図３Ａがケースの底面図であり、図３Ｂが図３ＡのＩＩＩＢ−ＩＩＩＢ断面図であり、図３Ｃが図３ＡのＩＩＩＣ−ＩＩＩＣ断面図である。
【図４】アンテナを取り付けた状態のケースの底面図である。
【図５】図５Ａ−５Ｃが、ベースにケースを取り付ける手順を説明する図である。
【図６】図６Ａがアンテナを取り付けたアンテナブラケットの正面図であり、図６Ｂがアンテナブラケットの左側面図であり、図６Ｃが図６ＡのＶＩＣ−ＶＩＣ断面図である。
【図７】図７Ａがアンテナブラケットの平面図であり、図７Ｂが図７ＡのＶＩＩＢ−ＶＩＩＢ断面図であり、図７Ｃが図７ＡのＶＩＩＣ−ＶＩＩＣ断面図であり、図７Ｄがスナップフィット嵌合の参考図である。
【図８】図８Ａが図６ＡのＶＩＩＩＡ−ＶＩＩＩＡ断面図であり、図８Ｂがアンテナブラケットの底面を示す斜視図であり、図８Ｃが図８Ａの部分拡大図である。
【図９】図９Ａがアンテナブラケットの背面図であり、図９Ｂがアンテナブラケットの背面を示す斜視図である。
【図１０】アンテナブラケットの底面を示す斜視図である。
【図１１】図１１Ａが仮想的にベースにアンテナを配置した場合の平面図であり、図１１Ｂが図１１ＡのＸＩＢ−ＸＩＢ断面図である。
【発明を実施するための形態】
【００１０】
以下、図面を参照しながら、本開示の実施形態を説明する。
［１．実施形態］
［１−１．全体構成］
図１に示すアンテナブラケット１は、アンテナ装置を収容して保持するブラケットであって、ベース１１と、ケース１２と、を備える。なお、ベース１１が第１部材に相当し、ケース１２が第２部材に相当する。アンテナ装置の具体的な構成は特に限定されないが、例えば、図４に示すアンテナ装置２のように、アンテナ３、ケーブル５、インジケータ７を備えてもよい。アンテナの種類も特に限定されず、例えばＥＴＣ（登録商標）用のアンテナを用いることができるが、これに限定されない。
【００１１】
ベース１１は、両面テープ１３によって、取付対象に取り付けられてもよい。取付対象とは、アンテナブラケット１が取り付けられる対象であって、例えば、車両のダッシュボードが例示されるが、取付対象はこれに限定されない。
【００１２】
本実施形態においては、アンテナブラケット１の各構成要素は合成樹脂により構成される。そのため、全体的に僅かに弾性変形が可能である。
なお以下の説明において、前後、左右などの方向を用いてアンテナブラケット１の形状を説明する場合があるが、これらの方向は説明の便宜上用いるだけであり、その使用態様などを限定するものではない。また、説明の便宜上、ベース１１にケース１２を取り付ける、又はベース１１からケース１２を取り外す、と記載するが、ケース１２に対してベース１１を取り付け又は取り外しをすることと同義である。
【００１３】
［１−２．ベース（第１部材）の構成］
ベース１１は、取付対象に取り付け可能に構成されている。本実施形態では、両面テープ１３が貼付可能な取り付け平面が設けられており、両面テープ１３を用いた取付対象への取り付けが可能である。なお取り付けるための手法は両面テープに限定されず、例えば、ボルト、ナットによる取り付け、嵌合、面ファスナーなど、様々な手法を採用できる。
【００１４】
ベース１１は、図２Ａ、２Ｂに示されるように、底板２１と、一対の側壁２２と、を備えていてもよい。
底板２１は、略平板状であって、一対の側壁２２、及び、一対の底板リブ２３が、一方の面から底板２１と交差する方向に突出する。一対の側壁２２は、底板２１における互いに反対側の端部から延びだしている。以下、一対の側壁２２の並ぶ方向を左右方向と記載する。ベース１１及びケース１２は、左右対称である。底板２１の他方の面は、図８Ｂに示されるように、両面テープ１３が貼り付け可能である。
【００１５】
また底板２１には、左右一対の係止溝２４と、突起２５と、が設けられてもよい。係止溝２４が第１係止部に相当する。また突起２５が操作部に相当する。突起２５は底板２１の外縁部分における側壁２２が設けられていない領域に形成されている。ベース１１の中央から突起２５に向かう方向を、以下では前方と記載する。左右一対の係止溝２４は、底板２１における前方端部寄りの位置に設けられている。
【００１６】
側壁２２は、図２Ｂに示されるように、前方が低く後方が高い略三角形の板状である。側壁２２の前端部には第１被挿入部２６が設けられ、側壁２２の後端側には第２被挿入部２７が設けられてもよい。第１被挿入部２６は、第１上板２６ａ及び第１下板２６ｂを備え、それらの間に後述する第１挿入片４１が挿入可能である。第２被挿入部２７は、第２上板２７ａ及び第２下板２７ｂを備え、それらの間に後述する第２挿入片４２が挿入可能である。
【００１７】
［１−３．ケース（第２部材）の構成］
ケース１２は、ベース１１に対して着脱可能に構成されている。
ケース１２は、図１及び図３Ａ−３Ｃに示されるように、一方が開放された容器形状の本体部３１を備えてもよい。この本体部３１の前端部には、図４に示されるように、アンテナ３がその内部の所定の位置に配置されたときにケーブル５が通過可能な溝部３２が形成されている。
【００１８】
本体部３１の底面には、溝によって文字３３が構成されている。文字３３は凸条により構成されてもよいが、底面に両面テープを貼る場合には、溝により文字が構成されていると両面テープの貼付の妨げになりにくい。
【００１９】
またケース１２には、本体部３１の底面から開口方向に延び出す左右一対の係止片３４が形成されている。この係止片３４は、弾性変形可能に構成された弾性部材である。係止片３４が第２係止部に相当する。
【００２０】
またケース１２には、本体部３１の内側面に、それぞれ左右一対のリブ３５，３６，３７，３８が設けられている。これらリブが、制限部に相当する。このリブ３５−３８は、ケース１２がベース１１に取り付けられた状態でベース１１の位置する方向に長さを有している。このリブ３５−３８の間の領域が、アンテナ３を取り付け可能な取付領域３９となる。図４に示されるように、アンテナ３はリブ３５−３８の間の位置に収まる。リブ３５−３８は、アンテナ３の移動範囲を制限することで、アンテナ３を所定の位置へと案内する。アンテナ３が所定の位置にあるとき、ケーブル５は溝部３２を通過する。ケース１２は、取付領域３９にアンテナ３が取り付けられた状態であっても、ベース１１に対して着脱可能である。
【００２１】
またケース１２には、本体部３１の内側面に、第１挿入片４１及び第２挿入片４２が設けられている。第１挿入片４１は第１被挿入部２６に挿入可能に構成されており、第２挿入片４２は第２被挿入部２７に挿入可能に構成されている。
【００２２】
［１−４．ベースに対するケースの取り付け］
ベース１１とケース１２とは、スライド嵌合するように構成されている。ここでいうスライド嵌合とは、ベース１１とケース１２をスライドさせることにより嵌合することを意味する。
【００２３】
まず、図５Ａに示されるように、ケース１２にアンテナ３を挿入して固定する。ケース１２とアンテナ３との固定は、図６Ｃに示されるように、両面テープ１５により実現される。
【００２４】
続いて、図５Ｂに示されるように、ベース１１に対して垂直にケース１２を接近させる。そして、図５Ｃに示されるように、ケース１２をケーブル５とは反対側にスライドさせるか、又は、ベース１１をケーブル５の側にスライドさせる。これにより、図６Ａ−６Ｃに示されるように、ベース１１にケース１２が取り付けられた状態となる。突起２５は、ケーブル５の下方に位置する。アンテナ３は、ベース１１にケース１２が取り付けられた状態では、アンテナブラケット１からの取り外し、及び、アンテナブラケット１への取り付けができない。
【００２５】
図７Ａ−７Ｃに示されるように、ベース１１とケース１２とをスライドすることで、第１挿入片４１は第１被挿入部２６に挿入され、また、第２挿入片４２は第２被挿入部２７に挿入される。そのため、ベース１１とケース１２との隙間が非常に小さくなる。
【００２６】
また、図８Ａ−８Ｃに示されるように、ベース１１とケース１２とがスライド嵌合している状態においては、係止片３４が係止溝２４に挿入されて、Ｌ５の幅で係合している。これにより、ベース１１にケース１２が取り付けられた状態が保持される。即ち、係止溝２４と係止片３４が、係止機構に相当する。
【００２７】
ベース１１及びケース１２は合成樹脂であるため、係止片３４、及び、係止溝２４が形成された底板２１、のいずれも弾性変形する。係止片３４が係止溝２４に係止されたときは、“カチッ”と音を立て、作業者にケース１２もしくはベース１１のスライド嵌合作業完了を認識させると同時にケース１２とベース１１をロックする。このようにケース１２及びベース１１をロックすることで、アンテナ３を両面テープ貼付け固定したアンテナブラケット１を車両に取付け、ケーブル５を配線した際のケーブル引張荷重や、例えばユーザがダッシュボード上を清掃中にユーザの手がオンダッシュ搭載されているアンテナブラケット１に接触した際の接触荷重が印加した際でもケース１２とベース１１の嵌合が外れにくくなっている。
【００２８】
なお、突起２５は、ベース１１とケース１２との係合を解除させるために設けられている。突起２５を下方、つまりケーブル５から離れる方向に操作すると、ベース１１が弾性変形することで容易に係止溝２４と係止片３４の係合を解除することができる。
【００２９】
［１−５．効果］
（１ａ）アンテナブラケット１は、アンテナ３を収容する要素をベース１１とケース１２とに分割している。そのため、分割されていない従来品では必要であった空間、即ちアンテナを固定するための取り付け作業を行う空間が不要となる。よって、図６Ｃに示されるように、アンテナ３とベース１１との間隔Ｌ１を小さくすることができ、アンテナブラケット１の高さ寸法を小さくすることができる。
【００３０】
（１ｂ）アンテナブラケット１は、ベース１１とケース１２とが分割されているため、分割されていない従来品と比較して、取付等の作業中に作業者の指に干渉する部位が小さくなる。そのため、ケース１２にアンテナ３を取り付けるためにケース１２に両面テープ１５を貼付けてアンテナ３に荷重を印加する作業を容易に行うことができる。また、アンテナ３の両面テープ側面を目隠しする目隠し形状や、アンテナ３の回転ズレを最小限にするためのリブなどを設置しても、それらによるアンテナブラケット１へのアンテナ３の取付作業性の低下への影響が小さくなる。
【００３１】
（１ｃ）アンテナブラケット１は、ベース１１とケース１２とを分割することで、上述した作業空間を考慮せずにリブ設置や側壁２２の形状を自由に変更することができる。例えば、ケース１２に対し、ベース１１をスライド嵌合する際にアンテナ３とベース１１が干渉（接触）しないギリギリまで、リブや側壁２２を設置したりその形状を自由に変更したりしつつ、アンテナブラケット１のサイズ増加を抑制できる。
【００３２】
（１ｄ）ベース１１とケース１２とが別部材であるため、金型上の制限が抑制され、ケース１２のアンテナ３の固定面にも自由にリブ設置ができるようになる。また、ケース１２のアンテナ固定面に「貼付面」の型彫り刻印をし、作業者にケース１２側にアンテナ３を貼付け固定させることを認識させることができる。もちろん、刻印する文字はこれに限定されず、様々な文字や模様を刻印することができる。
【００３３】
（１ｅ）アンテナブラケット１は、図９Ａ、９Ｂに示されるように、ケース１２がベース１１に取り付けられた状態においてベース１１及びケース１２により形成される開口部５１の広さを、アンテナ３の通過が不能な広さに小さくすることができる。さらに、ユーザからアンテナ３のインジケータ７を見えるようにするトンネル形状部以外の部分をベース１１の左右の側壁２２で目隠しすることができる。これにより、アンテナ３の位置を制限するためのリブ３５−３８、及び、金型上絶対必要なイジェクトピン跡を目隠しすることができる。結果として、ユーザからの見栄えを向上することができる。
【００３４】
（１ｆ）ベース１１とケース１２とがスライド嵌合する構成であるため、ベース１１とケース１２とのガタ、即ち、図７Ｂに示されるＬ２と、図７Ｃに示されるＬ３と、を小さくすることができる。仮にベース及びケースが、図７Ｄに示されるようなスナップフィット嵌合をするように構成されていれば、ベース及びケースの爪嵌合部で上下方向(アンテナブラケットをダッシュボード上に両面テープにて貼付けする場合の両面テープ１３の鉛直方向)にガタ（図７Ｄにおける間隔Ｌ４）が生じやすくなる。その結果、アンテナブラケットに保持されるアンテナの取り付け角度にバラツキが生じてしまう。本実施形態のアンテナブラケット１では、アンテナ３の取り付け角度が安定するため、角度の変化に起因する路側機などの通信対象との通信精度の低下を抑制できる。
【００３５】
（１ｇ）アンテナブラケット１では、開口部５１、及び、ケーブル５を通す溝部３２の広さを小さくできる。そのため、アンテナ３のインジケータ７の周囲をケース１２もしくはベース１１で囲うことにより、太陽光を最大限遮光することができる。よって、インジケータ７の視認性を高めることができる。
【００３６】
（１ｈ）アンテナブラケット１では、突起２５をケーブル５とは反対側、言い換えると両面テープ１３側に押し下げることで、係止片３４を係止溝２４から容易に外すことができる。そして、その状態でベース１１とケース１２とをスライドさせることでベース１１とケース１２との取り外しが実現される。アンテナブラケット１は、従来品に比べて内部空間が狭いため、ベース１１とケース１２とを組み付けたままではアンテナ交換などのリペア性が低下してしまうが、突起２５を用いることで容易にベース１１からケース１２を取り外すことができるため、高いリペア性を確保できる。
【００３７】
（１ｋ）突起２５はケーブル５の下方に配置されるため、見栄えが悪くなりにくい。特に、アンテナブラケット１をダッシュボード上にオンダッシュ搭載した状態では、最もユーザから見え難いケーブル５側に配置され、かつケーブル５の下側に配置されることから、見栄え上ユーザに与える不満を高度に抑制できる。
【００３８】
（１ｌ）ケース１２の本体部３１はお碗型の容器形状であり、前方側にのみケーブル５が通過できる溝部３２が設けられているため、アンテナ３をケース１２に対して誤った方向に取り付けしようとすると、図１０に示されるように、ケース１２の本体部３１の外縁部とケーブル５とが干渉することとなる。よって、作業者がケース１２に対して誤った方向にアンテナ３を取り付けてしまうことを抑制できる。
【００３９】
（１ｍ）ベース１１は、底板２１に底板リブ２３が設けられているため、誤ってベース１１に両面テープ等によりアンテナ３を取り付けてしまうことが起こり難く、作業者に対してベース１１がアンテナ３を取り付ける対象ではないことを認識させることができる。また、図１１Ａ、１１Ｂに示されるように、仮にアンテナ３をベース１１の底板２１に沿うように配置しようとすると、側壁２２とアンテナ３とが干渉してしまうように左右一対の側壁２２の形状が調整されている。そのため、アンテナ３を誤ってベース１１に取り付けてしまうことを高度に抑制できる。
【００４０】
［２．他の実施形態］
以上、本開示の実施形態について説明したが、本開示は上述の実施形態に限定されることなく、種々変形して実施することができる。
【００４１】
（２ａ）上記実施形態で開示したベース１１及びケース１２の形状は一例であり、少なくとも２つの部材を組み合わせてアンテナブラケットを構成できれば、その具体的な形状や構成は特に限定されない。
【００４２】
例えば、ケース１２はお碗型で無くともよいし、ベース１１がお碗型であってもよい。また、ケース１２がダッシュボード等の取付対象に取り付けられる構成であってもよい。また、ベース１１とケース１２とはスライド嵌合ではなく、スナップフィット嵌合であってもよい。また、リブの形状、数などは特に限定されず、自在に設計することができる。また、アンテナ３つ以上の部品を組み合わせることによってアンテナブラケットが組み立てられるように構成されていてもよい。
【００４３】
また、上記実施形態ではベース１１及びケース１２のいずれも合成樹脂製である構成を例示したが、少なくともいずれか一方が、合成樹脂以外の素材で構成されていてもよい。また、係止溝２４及び係止片３４の両方が弾性変形する構成を例示したが、例えば一方は変形が制限される素材で構成されており、他方のみが弾性変形するように構成されていてもよい。
【００４４】
また、アンテナブラケット１が保持するアンテナ装置２は、上記実施形態にて示した形態以外のものであってもよい。
（２ｂ）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言から特定される技術思想に含まれるあらゆる態様が本開示の実施形態である。
【符号の説明】
【００４５】
１…アンテナブラケット、２…アンテナ装置、３…アンテナ、５…ケーブル、１１…ベース、１２…ケース、２４…係止溝、３４…係止片、３９…取付領域
【図１】
2020022047.tif 000003
【図２】
2020022047.tif 000004
【図３】
2020022047.tif 000005
【図４】
2020022047.tif 000006
【図５】
2020022047.tif 000007
【図６】
2020022047.tif 000008
【図７】
2020022047.tif 000009
【図８】
2020022047.tif 000010
【図９】
2020022047.tif 000011
【図１０】
2020022047.tif 000012
【図１１】
2020022047.tif 000013